(57)【特許請求の範囲】
【請求項１】
建物に外構を施工する外構の施工方法であって、
予め、外構の骨組を構成する外構フレームに取り付けるべき複数種類の外構アイテムとして、前記外構フレームを化粧する化粧部材、バルコニー床を構成する床パネル、バルコニー手摺を構成する手摺ユニット、庇屋根を構成する庇屋根パネルを用意しておき、
前記建物の外壁から水平に延出する複数の水平部材と、これら複数の水平部材の先端部を繋ぐ繋ぎ部材と、この繋ぎ部材または前記水平部材を下方から支持する柱とを有する外構フレームを施工した後、
前記複数種類の外構アイテムから前記化粧部材を選択して、当該化粧部材を前記外構フレームに取り付ける化粧工程と、
前記複数種類の外構アイテムから前記庇屋根パネルを選択して、当該庇屋根パネルを前記外構フレームの前記水平部材、前記繋ぎ部材、前記外壁によって囲まれた部分の少なくとも一部に取り付ける庇屋根設置工程と、
前記複数種類の外構アイテムから前記床パネルと前記手摺ユニットを選択して、当該床パネルを前記外構フレームの前記水平部材、前記繋ぎ部材、前記外壁によって囲まれた部分の少なくとも一部に取り付け、前記手摺ユニットを前記床パネルまたは前記水平部材に取り付けるバルコニー設置工程と、の３つの工程のうち、
前記化粧工程を選択して外構を施工することによって、化粧が施された前記外構フレームで構成された、パーゴラによる外構を施工するか、
前記化粧工程と前記庇屋根設置工程とを選択して外構を施工することによって、化粧が施されたパーゴラに庇屋根が設けられた外構を施工するか、
前記化粧工程と前記バルコニー設置工程とを選択して外構を施工することによって、化粧が施されたパーゴラにバルコニーが設けられた外構を施工するか、
前記化粧工程と前記庇屋根設置工程と前記バルコニー設置工程とを選択して外構を施工することによって、化粧が施されたパーゴラに庇屋根とバルコニーが設けられた外構を施工するか、
のいずれかを選択して外構を施工することを特徴とする外構の施工方法。
【請求項２】
請求項１に記載の外構の施工方法において、
前記化粧工程では、
前記化粧部材として、予め幕板と、水平部材カバーとを用意しておき、
前記繋ぎ部材および外側に位置している前記水平部材に前記幕板を取り付ける作業と、
前記内側に位置している水平部材に前記水平部材カバーを取り付ける作業と、の２つの作業のうち、少なくとも前記幕板を取り付ける作業を行うことを特徴とする外構の施工方法。
【請求項３】
建物に外構を施工する外構の施工方法であって、
予め、外構の骨組を構成する外構フレームに取り付けるべき複数種類の外構アイテムとして、前記外構フレームを化粧する化粧部材、バルコニー床を構成する床パネル、バルコニー手摺を構成する手摺ユニット、庇屋根を構成する庇屋根パネル、オーニングを構成するオーニングユニット、目透かしを構成する目透かしパネル、軒天を構成する軒天パネルを用意しておき、
前記建物の外壁から水平に延出する複数の水平部材と、これら複数の水平部材の先端部を繋ぐ繋ぎ部材と、この繋ぎ部材または前記水平部材を下方から支持する柱とを有する外構フレームを施工した後、
前記複数種類の外構アイテムから前記化粧部材を選択して、当該化粧部材を前記外構フレームに取り付ける化粧工程と、
前記複数種類の外構アイテムから前記庇屋根パネルを選択して、当該庇屋根パネルを前記外構フレームの前記水平部材、前記繋ぎ部材、前記外壁によって囲まれた部分の少なくとも一部に取り付ける庇屋根設置工程と、
前記複数種類の外構アイテムから前記床パネルと前記手摺ユニットを選択して、当該床パネルを前記外構フレームの前記水平部材、前記繋ぎ部材、前記外壁によって囲まれた部分の少なくとも一部に取り付け、前記手摺ユニットを前記床パネルまたは前記水平部材に取り付けるバルコニー設置工程と、の３つの工程のうち、少なくとも前記化粧工程を選択して外構を施工するものであり、
前記化粧工程では、
前記化粧部材として、予め柱カバーと、幕板と、水平部材カバーとを用意しておき、
前記繋ぎ部材および外側に位置している前記水平部材に前記幕板を取り付ける作業と、
前記内側に位置している水平部材に前記水平部材カバーを取り付ける作業と、の２つの作業のうち、少なくとも前記幕板を取り付ける作業を行うとともに、前記柱に前記柱カバーを取り付ける作業を行い、
さらに、前記化粧工程のみを選択して外構を施工する場合には、
前記外構フレームの前記水平部材、前記繋ぎ部材、前記外壁によって囲まれた部分の少なくとも一部に、前記オーニングユニットまたは目透かしパネルを取り付け、
前記庇屋根設置工程では、前記庇屋根パネルの下方において、前記外構フレームに前記軒天パネルを取り付け、
前記バルコニー設置工程では、前記床パネルの下方において、前記外構フレームに前記軒天パネルを取り付けることを特徴とする外構の施工方法。
【請求項４】
請求項１〜３のいずれか一項に記載の外構の施工方法によって、化粧工程と庇屋根設置工程を選択して外構を施工した後のリフォーム時において、
前記庇屋根パネルを前記外構フレームから取り外した後、前記床パネルを前記外構フレームの前記水平部材、前記繋ぎ部材、前記外壁によって囲まれた部分の少なくとも一部に取り付け、前記手摺ユニットを前記床パネルまたは前記水平部材に取り付けることを特徴とする外構の施工方法。
【請求項５】
請求項１〜３のいずれか一項に記載の外構の施工方法によって、化粧工程とバルコニー設置工程を選択して外構フレームを施工した後のリフォーム時において、
前記手摺ユニットを前記床パネルまたは前記外構フレームから取り外すとともに、前記床パネルを前記外構フレームから取り外した後、前記庇屋根パネルを前記外構フレームの前記水平部材、前記繋ぎ部材、前記外壁によって囲まれた部分の少なくとも一部に取り付けることを特徴とする外構の施工方法。
【発明の詳細な説明】
【技術分野】
【０００１】
本発明は、建物に設ける外構の施工に関する。
【背景技術】
【０００２】
建物の外構を施工する方法の一例として特許文献１に記載の方法が知られている。
この施工方法は、少なくともユニット建物と同じデザイン、又は少なくともユニット建物と略同じデザインの外構部材を用意しておいて、前記ユニット建物を構築する際に、前記外構部材を用いて前記ユニット建物に合う外構を建設敷地に建設することを特徴とするものである。
この外構の施工方法によれば、建物ユニットを用いてユニット建物を建築する際、ユニット建物に対する外構のデザインに一体性を持たせることができる。
【先行技術文献】
【特許文献】
【０００３】
【特許文献１】特開２００７−２３９４１２号公報
【発明の概要】
【発明が解決しようとする課題】
【０００４】
ところで、上記従来の外構の施工方法では、予め、外構部材を用意しておいて、前記ユニット建物を構築する際に、前記外構部材を用いてユニット建物に合う外構を施工しているが、多様なニーズに細かく対応できないため、建物施工時や建物のリフォーム時において、多様なニーズに細かく対応できる外構の施工方法の提供が望まれていた。
【０００５】
本発明は上記事情に鑑みてなされたもので、多様なニーズに細かく対応できる外構の施工方法を提供することを課題としている。
【課題を解決するための手段】
【０００６】
上記課題を解決するために、請求項１に記載の発明は、例えば図１〜図９に示すように、建物１に外構を施工する外構の施工方法であって、
予め、外構の骨組を構成する外構フレーム２に取り付けるべき複数種類の外構アイテムとして、前記外構フレーム２を化粧する化粧部材２０、バルコニー床を構成する床パネル１０、バルコニー手摺を構成する手摺ユニット１２，１３、庇屋根を構成する庇屋根パネル１６を用意しておき、
前記建物１の外壁から水平に延出する複数の水平部材３と、これら複数の水平部材３の先端部を繋ぐ繋ぎ部材４と、この繋ぎ部材４または前記水平部材３を下方から支持する柱５とを有する外構フレーム２を施工した後、
前記複数種類の外構アイテムから前記化粧部材２０を選択して、当該化粧部材２０を前記外構フレーム２に取り付ける化粧工程と、
前記複数種類の外構アイテムから前記庇屋根パネル１６を選択して、当該庇屋根パネル１６を前記外構フレーム２の前記水平部材３、前記繋ぎ部材４、前記外壁によって囲まれた部分の少なくとも一部に取り付ける庇屋根設置工程と、
前記複数種類の外構アイテムから前記床パネル１０と前記手摺ユニット１２，１３を選択して、当該床パネル１０を前記外構フレーム２の前記水平部材３、前記繋ぎ部材４、前記外壁によって囲まれた部分の少なくとも一部に取り付け、前記手摺ユニット１２，１３を前記床パネル１０または前記水平部材３に取り付けるバルコニー設置工程と、の３つの工程のうち、
前記化粧工程を選択して外構を施工することによって、化粧が施された前記外構フレーム２で構成された、パーゴラによる外構を施工するか、
前記化粧工程と前記庇屋根設置工程とを選択して外構を施工することによって、化粧が施されたパーゴラに庇屋根が設けられた外構を施工するか、
前記化粧工程と前記バルコニー設置工程とを選択して外構を施工することによって、化粧が施されたパーゴラにバルコニーが設けられた外構を施工するか、
前記化粧工程と前記庇屋根設置工程と前記バルコニー設置工程とを選択して外構を施工することによって、化粧が施されたパーゴラに庇屋根とバルコニーが設けられた外構を施工するか、
のいずれかを選択して外構を施工することを特徴とする。
【０００７】
請求項１に記載の発明によれば、外構フレーム２を施工した後、化粧工程を選択して外構を施工することにより、化粧が施された外構フレーム２で構成された、いわゆるパーゴラによる外構を施工でき、外構フレームを施工した後、化粧工程と庇屋根設置工程とを選択して外構を施工することにより、化粧が施されたパーゴラに庇屋根が設けられたタイプの外構を施工でき、外構フレームを施工した後、化粧工程とバルコニー設置工程とを選択して外構を施工することによって、化粧が施されたパーゴラにバルコニーが設けられたタイプの外構を施工でき、外構フレームを施工した後、化粧工程と庇屋根設置工程とバルコニー設置工程とを選択して外構を施工することにより、化粧が施されたパーゴラに庇屋根とバルコニーが設けられたタイプの外構を施工できる。したがって、多様なニーズに細かく対応できる外構を施工できる。
【０００８】
請求項２に記載の発明は、請求項１に記載の外構の施工方法において、
前記化粧工程では、
前記化粧部材として、予め幕板１８と、水平部材カバー１９とを用意しておき、
前記繋ぎ部材４および外側に位置している前記水平部材３に前記幕板１８を取り付ける作業と、
前記内側に位置している水平部材３に前記水平部材カバー１９を取り付ける作業と、の２つの作業のうち、少なくとも前記幕板１８を取り付ける作業を行うことを特徴とする。
【０００９】
請求項２に記載の発明によれば、少なくとも幕板１８、水平部材カバー１９によって外構フレーム２に容易に化粧を施せる。
また、幕板１８、水平部材カバー１９のそれぞれのデザインを複数種類用意しておくことによって、外構フレーム２の化粧を多様なニーズに応じて行える。
【００１０】
上記課題を解決するために、請求項３に記載の発明は、例えば図１〜図９に示すように、外構の施工方法において、
予め、外構の骨組を構成する外構フレーム２に取り付けるべき複数種類の外構アイテムとして、前記外構フレーム２を化粧する化粧部材２０、バルコニー床を構成する床パネル１０、バルコニー手摺を構成する手摺ユニット１２，１３、庇屋根を構成する庇屋根パネル１６、オーニングを構成するオーニングユニット１４、目透かしを構成する目透かしパネル１５、軒天を構成する軒天パネル１１を用意しておき、
前記建物１の外壁から水平に延出する複数の水平部材３と、これら複数の水平部材３の先端部を繋ぐ繋ぎ部材４と、この繋ぎ部材４または前記水平部材３を下方から支持する柱５とを有する外構フレーム２を施工した後、
前記複数種類の外構アイテムから前記化粧部材２０を選択して、当該化粧部材２０を前記外構フレーム２に取り付ける化粧工程と、
前記複数種類の外構アイテムから前記庇屋根パネル１６を選択して、当該庇屋根パネル１６を前記外構フレーム２の前記水平部材３、前記繋ぎ部材４、前記外壁によって囲まれた部分の少なくとも一部に取り付ける庇屋根設置工程と、
前記複数種類の外構アイテムから前記床パネル１０と前記手摺ユニット１２，１３を選択して、当該床パネル１０を前記外構フレーム２の前記水平部材３、前記繋ぎ部材４、前記外壁によって囲まれた部分の少なくとも一部に取り付け、前記手摺ユニット１２，１３を前記床パネル１０または前記水平部材３に取り付けるバルコニー設置工程と、の３つの工程のうち、少なくとも前記化粧工程を選択して外構を施工するものであり、
前記化粧工程では、
前記化粧部材として、予め柱カバー１７と、幕板１８と、水平部材カバー１９とを用意しておき、
前記繋ぎ部材４および外側に位置している前記水平部材３に前記幕板１８を取り付ける作業と、
前記内側に位置している水平部材３に前記水平部材カバー１９を取り付ける作業と、の２つの作業のうち、少なくとも前記幕板１８を取り付ける作業を行うとともに、前記柱に前記柱カバー１７を取り付ける作業を行い、
さらに、前記化粧工程のみを選択して外構を施工する場合には、
前記外構フレーム２の前記水平部材３、前記繋ぎ部材４、前記外壁によって囲まれた部分の少なくとも一部に、前記オーニングユニット１４または目透かしパネル１５を取り付け、
前記庇屋根設置工程では、前記庇屋根パネル１６の下方において、前記外構フレーム２に前記軒天パネル１１を取り付け、
前記バルコニー設置工程では、前記床パネル１０の下方において、前記外構フレーム２に前記軒天パネル１１を取り付けることを特徴とする。
【００１１】
請求項３に記載の発明によれば、外構フレーム２を施工した後、化粧工程を選択して外構を施工することにより、化粧が施された外構フレーム２で構成された、いわゆるパーゴラによる外構を施工でき、外構フレームを施工した後、化粧工程と庇屋根設置工程とを選択して外構を施工することにより、化粧が施されたパーゴラに庇屋根が設けられたタイプの外構を施工でき、外構フレームを施工した後、化粧工程とバルコニー設置工程とを選択して外構を施工することによって、化粧が施されたパーゴラにバルコニーが設けられたタイプの外構を施工でき、外構フレームを施工した後、化粧工程と庇屋根設置工程とバルコニー設置工程とを選択して外構を施工することにより、化粧が施されたパーゴラに庇屋根とバルコニーが設けられたタイプの外構を施工できる。
さらに、オーニングユニット１４または目透かしパネル１５が取り付けられた下方に日陰を設けることができるので、パーゴラによる外構が夏季の日除けとして有効に機能する。
さらに、柱カバー１７、幕板１８、水平部材カバー１９によって外構フレーム２に容易に化粧を施せる。
また、柱カバー１７、幕板１８、水平部材カバー１９のそれぞれのデザインを複数種類用意しておくことによって、外構フレーム２の化粧を多様なニーズに応じて行える。
さらに、庇屋根パネル１６や床パネル１０の下方において、軒天パネル１１を外構フレーム２に取り付けるので、庇屋根パネル１６で構成される屋根庇や床パネル１０で構成されるバルコニー床の下面を秀麗に仕上げることができる。
【００１４】
請求項４に記載の発明は、請求項１〜３のいずれか一項に記載の外構の施工方法によって、化粧工程と庇屋根設置工程を選択して外構を施工した後のリフォーム時において、
前記庇屋根パネル１６を前記外構フレーム２から取り外した後、前記床パネル１０を前記外構フレーム２の前記水平部材３、前記繋ぎ部材４、前記外壁によって囲まれた部分の少なくとも一部に取り付け、前記手摺ユニット１２，１３を前記床パネル１０または前記水平部材３に取り付けることを特徴とする。
【００１５】
請求項４に記載の発明によれば、リフォーム時に、庇屋根パネル１６を取り外して、床パネル１０および手摺ユニット１２，１３を取り付けるので、庇屋根に代えてバルコニーを容易に施工できる。
【００１６】
請求項５に記載の発明は、請求項１〜３のいずれか一項に記載の外構の施工方法によって、化粧工程とバルコニー設置工程を選択して外構フレームを施工した後のリフォーム時において、
前記手摺ユニット１２，１３を前記床パネル１０または前記外構フレーム２から取り外すとともに、前記床パネル１０を前記外構フレーム２から取り外した後、前記庇屋根パネル１６を前記外構フレーム２の前記水平部材３、前記繋ぎ部材４、前記外壁によって囲まれた部分の少なくとも一部に取り付けることを特徴とする。
【００１７】
請求項５に記載の発明によれば、リフォーム時に、床パネル１０および手摺ユニット１２，１３を取り外して、庇屋根パネル１６を取り付けるので、バルコニーに代えて庇屋根を容易に施工できる。
【発明の効果】
【００１８】
本発明によれば、化粧が施された外構フレームで構成された、いわゆるパーゴラによる外構、化粧が施されたパーゴラに庇屋根が設けられたタイプの外構、化粧が施されたパーゴラにバルコニーが設けられたタイプの外構、化粧が施されたパーゴラに庇屋根とバルコニーが設けられたタイプの外構を選択的に施工できる。したがって、多様なニーズに細かく対応できる外構を施工できる。
【図面の簡単な説明】
【００１９】
【図１】本発明に係る外構の施工方法を説明するためのもので、建物に外構フレームを施工した状態を示す斜視図である。
【図２】同、外構フレームに取り付けるべき複数種類の外構アイテムを示す斜視図である。
【図３】同、化粧工程によって外構フレームを化粧した状態を示す斜視図である。
【図４】同、化粧工程によって外構フレームを化粧するとともにオーニングユニットを取り付けた状態を示す斜視図である。
【図５】同、化粧工程と庇屋根設置工程によって外構フレームを化粧するとともに庇屋根を外構フレームの上面全体に設置した状態を示す斜視図である。
【図６】同、化粧工程と庇屋根設置工程によって外構フレームを化粧するとともに庇屋根を外構フレームの上面の一部に設置した状態を示す斜視図である。
【図７】同、化粧工程とバルコニー設置工程によって外構フレームを化粧するとともに外構フレームの上面全体にバルコニーを設置した状態を示す斜視図である。
【図８】同、化粧工程とバルコニー設置工程によって外構フレームを化粧するとともに外構フレームの上面の一部にバルコニーを設置した状態を示す斜視図である。
【図９】同、化粧工程と庇屋根設置工程とバルコニー設置工程によって外構フレームを化粧するとともに外構フレームの上面に庇屋根とバルコニーを設置した状態を示す斜視図である。
【発明を実施するための形態】
【００２０】
以下、図面を参照して本発明に係る外構の施工方法について説明する。
まず、本実施の形態における外構の施工方法では、図１に示すように、建物１に外構フレーム２を施工する。
外構フレーム２は、建物１の外壁から水平に延出する複数の水平部材３と、これら複数の水平部材３の先端部を繋ぐ繋ぎ部材４と、この繋ぎ部材４を下方から支持する複数の柱５とによって構成されている。
【００２１】
水平部材３は断面コ字形の鋼材で形成されており、その基端部は建物の外壁に固定されている。この固定は、例えば外壁に図示しない固定金具を取り付け、この固定金具に水平部材３の基端部をボルト止めにすることによって行われている。
また、３本の水平部材３のうち、２本の水平部材３は、建物の正面側の外壁から一直線状に互いに平行に延出しており、残り１本の水平部材３は、建物の側面側の外壁から少し延出し、さらに、直角に曲げられて前記２本の水平部材３と平行に延出している。
前記繋ぎ部材４は断面コ字形の鋼材で形成されており、その両端部がそれぞれ外側に位置する前記水平部材３，３の先端部に接合され、中央部が中側に位置する前記水平部材３の先端部に接合されている。これによって、３本の水平部材３の先端部が繋ぎ部材４によって繋がれている。
前記柱５は、地盤に立設された断面四角筒状の鋼材で形成されており、その上端部が前記繋ぎ部材４に接合されている。これによって、繋ぎ部材４が柱５によって下方から支持されている。
【００２２】
上記のような外構フレーム２を施工した後、後述する（１）〜（３）の３つの工程のうち、少なくとも（１）の工程を選択して外構を施工するが、その前に予め、外構フレーム２に取り付けるべき複数種類の外構アイテムを用意しておく。
この外構アイテムとしては、例えば図２に示すように、バルコニー床を構成する床パネル１０、軒天を構成する軒天パネル１１、バルコニー手摺を構成する手摺ユニット１２，１３、オーニングを構成するオーニングユニット１４、目透かしを構成する目透かしパネル１５、さらに、図３〜図９に示すように、庇屋根を構成する庇屋根パネル１６、外構フレーム２を化粧する各種化粧部材２０を用意しておく。
【００２３】
図２に示すように、床パネル１０は、底板１０ａと、この底板１０ａの周縁部に設けられた立上り壁１０ｂと、底板１０ａの下面に設けられた複数の支持部材１０ｃとを備えた基本構成となっている。
軒天パネル１１は、複数の軒天材１１ａとこれら軒天材１１ａの上面に取り付けられた複数の野縁１１ｂとを備えた基本構成となっている。
手摺ユニット１２は、複数の支柱１２ａとこれら支柱１２ａに取り付けられた手摺壁１２ｂとを備えた基本構成となっており、手摺壁１２ｂは複数の水平なルーバを上下に所定間隔で設けた通風性および採光性を有するものとなっている。
手摺ユニット１３は、複数の支柱１３ａとこれら支柱１３ａに取り付けられた手摺壁１３ｂとを備えた基本構成となっており、手摺壁１３ｂは板ガラスによって構成され採光性を有するものとなっている。
オーニングユニット１４は、複数の棒状部材１４ａと棒状部材１４ａに取り付けられた日除け用の幕材１４ｂを備えた基本構成となっている。
目透かしパネル１５は、左右に離間して設けられた支持部材１５ａ，１５ａと、この支持部材１５ａ，１５ａ間に所定間隔で設けられた複数のルーバ１５ｂとを備えた基本構成となっている。
庇屋根パネル１６は、図５に示すように、底板１６ａと、この底板１６ａの周縁部に設けられた立上り壁１６ｂと、底板１６ａの下面に設けられた複数の支持部材１６ｃとを備えた基本構成となっている。
【００２４】
前記化粧部材２０としては、図３〜図９に示すように、柱カバー１７、幕板１８、水平部材カバー１９がある。
柱カバー１７は左右に分割された柱カバー分割片１７ａ，１７ａによって構成されており、これら柱カバー分割片１７ａ，１７ａを、柱５の周囲に当該柱５を囲むようにして設けることによって、柱５を化粧するようになっている。このような柱カバー１７は、色や模様、太さ、長さ等によって複数種類のものが用意されている。
幕板１８は、上下に分割された幕板分割片１８ａ，１８ｂと、内側幕板片１８ｃとによって構成されており、幕板分割片１８ａ，１８ｂを繋ぎ部材４および外側に位置している水平部材３，３の前面に取り付け、内側幕板片１８ｃを繋ぎ部材４および外側に位置している水平部材３，３の内面に取り付けることによって、繋ぎ部材４、外側の位置する水平部材３，３を化粧するようになっている。
なお、このような幕板１８は、色や模様、上下の幅、左右長さ等によって複数種類のものが用意されている。
水平部材カバー１９は上下に分割された水平部材カバー分割片１９ａ，１９ａによって構成されており、これら水平部材カバー分割片１９ａ，１９ａを、中央の水平部材３の周囲に当該水平部材３を囲むようにして設けることによって、水平部材３を化粧するようになっている。このような水平部材カバー１９は、色や模様、太さ、長さ等によって複数種類のものが用意されている。
【００２５】
上記のような外構フレーム２に取り付けるべき複数種類の外構アイテムを予め用意しておき、外構フレーム２を施工した後、以下の（１）〜（３）の３つの工程のうち、少なくとも（１）の工程を選択して外構を施工する。
（１）前記複数種類の外構アイテムから前記化粧部材２０を選択して、当該化粧部材２０を前記外構フレーム２に取り付ける化粧工程。
（２）前記複数種類の外構アイテムから前記庇屋根パネル１６を選択して、当該庇屋根パネル１６を前記外構フレーム２の前記水平部材３、前記繋ぎ部材４、前記外壁によって囲まれた部分の少なくとも一部に取り付ける庇屋根設置工程。
（３）前記複数種類の外構アイテムから前記床パネル１０と前記手摺ユニット１２，１３を選択して、当該床パネル１０を前記外構フレーム２の前記水平部材３、前記繋ぎ部材４、前記外壁によって囲まれた部分の少なくとも一部に取り付け、前記手摺ユニット１２，１３を前記床パネル１０または前記水平部材３に取り付けるバルコニー設置工程。
【００２６】
次に、（１）〜（３）の３つの工程のうち、少なくとも（１）の工程を選択して外構を施工する場合のいくつかについて説明する。
Ａ．（１）の化粧工程のみを選択して外構を施工する場合
図３に示すように、複数種類の外構アイテムから前記化粧部材２０のみを選択する。化粧部材２０としては、柱カバー１７と、幕板１８と、水平部材カバー１９とを選択する。
そして、柱カバー分割片１７ａ，１７ａを、柱５の周囲に当該柱５を囲むようにして設けることによって、柱５を柱カバー１７によって化粧する。また、幕板分割片１８ａ，１８ｂを繋ぎ部材４および外側に位置している水平部材３，３の前面に取り付け、内側幕板片１８ｃを繋ぎ部材４および外側に位置している水平部材３，３の内面に取り付けることによって、繋ぎ部材４、水平部材３，３を幕板１８によって化粧する。さらに、水平部材カバー分割片１９ａ，１９ａを、中央の水平部材３の周囲に当該水平部材３を囲むようにして設けることによって、水平部材３を水平部材カバー１９によって化粧する。このようにして施工された外構は、化粧が施された外構フレームで構成された、いわゆるパーゴラによる外構となる。
【００２７】
また、図４に示すように、外構アイテムとして、さらに、オーニングを構成するオーニングユニット１４および目透かしを構成する目透かしパネル１５（図２参照）を用意しておき、外構フレーム２の水平部材３、繋ぎ部材４、外壁によって囲まれた部分の少なくとも一部に、オーニングユニット１４を取り付ける。すなわち、水平部材３、繋ぎ部材４、外壁によって囲まれた左右二つの部分のうち、右側の部分にオーニングユニット１４を取り付ける。この場合、オーニングユニット１４の棒状部材１４ａ，１４ａの端部をそれぞれ繋ぎ部材４と外壁に固定する。
このようにして施工された外構では、オーニングユニット１４の下方に日陰を設けることができるので、夏季の日除けとして有効に機能する。
なお、オーニングユニット１４に代えて目透かしパネル１５を選択して、外構フレーム２の水平部材３、繋ぎ部材４、外壁によって囲まれた部分の少なくとも一部に取り付けてもよい。
【００２８】
Ｂ．（１）の化粧工程と（２）の庇屋根設置工程を選択して外構を施工する場合
図５に示すように、前記複数種類の外構アイテムから化粧部材２０と庇屋根パネル１６を選択して、化粧部材２０を前記Ａの場合と同様にして外構フレーム２に取り付ける。但し、化粧部材２０のうち、内側幕板片１８ｃは取り付けない。
また、庇屋根パネル１６を外構フレーム２の水平部材３、繋ぎ部材４、外壁によって囲まれた部分の全域に取り付ける。この場合、２つの庇屋根パネル１６を左右に並べて設置したうえで、支持部材１６ｃを外構フレーム２の水平部材３に設置して取り付ける。
さらに、外構アイテムとして、軒天を構成する軒天パネル１１を用意しておき、庇屋根パネル１６の下方において、外構フレーム２に軒天パネル１１を取り付ける。この場合、２つの軒天パネル１１，１１を左右に並べて設置したうえで、野縁１１ｂを外構フレーム２の水平部材３に取り付ける。このようにして外構フレーム２の上面全体に庇屋根を設置する。
また、図６に示すように、庇屋根パネル１６を外構フレーム２の水平部材３、繋ぎ部材４、外壁によって囲まれた部分の一部に取り付けてもよい。この場合、水平部材３、繋ぎ部材４、外壁によって囲まれた左右二つの部分のうち、左側の部分に庇屋根パネル１６を取り付ける。このようにして外構フレーム２の上面の略半分に庇屋根を設置する。この庇屋根パネル１６の下方において、外構フレーム２に軒天パネル１１を取り付け、また中央に位置する水平部材３に水平部材カバー１９を取り付ける。
このようにして施工された外構は、化粧が施されたパーゴラに庇屋根が設けられたタイプの外構となる。
【００２９】
また、上記のようにして、化粧工程と庇屋根設置工程を選択して外構を施工した後のリフォーム時において、庇屋根パネル１６を外構フレーム２から取り外した後、床パネル１０を外構フレーム２の水平部材３、繋ぎ部材４、外壁によって囲まれた部分の少なくとも一部に取り付け、手摺ユニット１２，１３を床パネル１０または水平部材３に取り付ける。
このように、リフォーム時に、庇屋根パネル１６を取り外して、床パネル１０および手摺ユニット１２，１３を取り付けるので、庇屋根に代えてバルコニーを容易に施工できる。
【００３０】
Ｃ．（１）の化粧工程と（３）のバルコニー設置工程を選択して外構を施工する場合
図７に示すように、前記複数種類の外構アイテムから化粧部材２０と床パネル１０を選択して、化粧部材２０を前記Ａの場合と同様にして外構フレーム２に取り付ける。但し、化粧部材２０のうち、内側幕板片１８ｃは取り付けない。
また、床パネル１０を外構フレーム２の水平部材３、繋ぎ部材４、外壁によって囲まれた部分の全域に取り付ける。この場合、２つの床パネル１０を左右に並べて設置したうえで、支持部材１０ｃを外構フレーム２の水平部材３に設置して取り付ける。
さらに、手摺ユニット１２を床パネル１０または水平部材３に取り付ける。
また、外構アイテムとして、軒天を構成する軒天パネル１１を用意しておき、床パネル１０の下方において、外構フレーム２に軒天パネル１１を取り付ける。この場合、２つの軒天パネル１１，１１を左右に並べて設置したうえで、野縁１１ｂを外構フレーム２の水平部材３に取り付ける。このようにして外構フレーム２の上面全体にバルコニーを設置する。
また、図８に示すように、床パネル１０を外構フレーム２の水平部材３、繋ぎ部材４、外壁によって囲まれた部分の一部に取り付けてもよい。この場合、水平部材３、繋ぎ部材４、外壁によって囲まれた左右二つの部分のうち、右側の部分に床パネル１０を取り付ける。この床パネル１０の下方において、外構フレーム２に軒天パネル１１を取り付け、また中央に位置する水平部材３に水平部材カバー１９を取り付ける。また、手摺ユニット１２を床パネル１０または水平部材３に取り付ける。このようにして外構フレーム２の上面の略半分にバルコニーを設置する。
このようにして施工された外構は、化粧が施されたパーゴラにバルコニーが設けられたタイプの外構となる。
【００３１】
また、上記のようにして、化粧工程とバルコニー設置工程を選択して外構フレームを施工した後のリフォーム時において、手摺ユニット１２を床パネル１０または外構フレーム２から取り外すとともに、床パネル１０を外構フレーム２から取り外した後、庇屋根パネル１６を外構フレーム２の水平部材３、繋ぎ部材４、外壁によって囲まれた部分の少なくとも一部に取り付ける。
このように、リフォーム時に、床パネル１０および手摺ユニット１２を取り外して、庇屋根パネル１６を取り付けるので、バルコニーに代えて庇屋根を容易に施工できる。
【００３２】
Ｄ．（１）の化粧工程と（２）庇屋根設置工程と（３）のバルコニー設置工程を選択して外構を施工する場合
図９に示すように、複数種類の外構アイテムから化粧部材２０と庇屋根パネル１６と床パネル１０と手摺ユニット１２を選択して、化粧部材２０を前記Ａの場合と同様にして外構フレーム２に取り付ける。但し、化粧部材２０のうち、内側幕板片１８ｃは取り付けない。
また、庇屋根パネル１６を外構フレーム２の水平部材３、繋ぎ部材４、外壁によって囲まれた左右二つの部分のうち、左側の部分に庇屋根パネル１６を取り付ける。
さらに、床パネル１０を外構フレーム２の水平部材３、繋ぎ部材４、外壁によって囲まれた左右二つの部分のうち、右側の部分に床パネル１０を取り付け、手摺ユニット１２を床パネル１０または水平部材３に取り付ける。
また、庇屋根パネル１６および床パネル１０の下方において、２つの軒天パネル１１，１１を左右に並べて設置したうえで、野縁１１ｂを外構フレーム２の水平部材３に取り付ける。
このようにして施工された外構は、化粧が施されたパーゴラに庇屋根とバルコニーが設けられたタイプの外構となる。
【００３３】
本実施の形態によれば、外構フレーム２を施工した後、化粧工程を選択して外構を施工することにより、化粧が施された外構フレーム２で構成された、いわゆるパーゴラによる外構を施工でき、外構フレーム２を施工した後、化粧工程と庇屋根設置工程とを選択して外構を施工すすることにより、化粧が施されたパーゴラに庇屋根が設けられたタイプの外構を施工でき、外構フレーム２を施工した後、化粧工程とバルコニー設置工程とを選択して外構を施工することによって、化粧が施されたパーゴラにバルコニーが設けられたタイプの外構を施工でき、外構フレーム２を施工した後、化粧工程と庇屋根設置工程とバルコニー設置工程とを選択して外構を施工することにより、化粧が施されたパーゴラに庇屋根とバルコニーが設けられたタイプの外構を施工できる。したがって、多様なニーズに細かく対応できる外構を施工できる。
【００３４】
また、オーニングユニット１４または目透かしパネル１５が取り付けられた下方に日陰を設けることができるので、パーゴラによる外構が夏季の日除けとして有効に機能する。
さらに、柱カバー１７、幕板１８、水平部材カバー１９によって外構フレーム２に容易に化粧を施せる。
加えて、柱カバー１７、幕板１８、水平部材カバー１９のそれぞれのデザインを複数種類用意にしておくことによって、外構フレーム２の化粧を多様なニーズに応じて行える。
【００３５】
また、庇屋根パネル１６や床パネル１０の下方において、軒天パネル１１を外構フレーム２に取り付けるので、庇屋根パネル１６で構成される屋根庇や床パネル１０で構成されるバルコニー床の下面を秀麗に仕上げることができる。
【符号の説明】
【００３６】
１  建物
２  外構フレーム
３  水平部材
４  繋ぎ部材
５  柱
１０  床パネル
１１  軒天パネル
１２，１３  手摺ユニット
１４  オーニングユニット
１５  目透かしパネル
１６  庇屋根パネル
１７  柱カバー
１８  幕板
１９  水平部材カバー
２０  化粧部材
【図１】
0005953017.tif 000002
【図２】
0005953017.tif 000003
【図３】
0005953017.tif 000004
【図４】
0005953017.tif 000005
【図５】
0005953017.tif 000006
【図６】
0005953017.tif 000007
【図７】
0005953017.tif 000008
【図８】
0005953017.tif 000009
【図９】
0005953017.tif 000010